(57)【要約】【課題】プレーティング専用キャリアなどを用いることなく異なる編糸を表側と裏側に配置して編目が重なったように編成できるリブ組織を備える編地の編成方法を提供する。【解決手段】第一編糸を用いてＦＢの編針Ａ，Ｃ，Ｅ，Ｇ，Ｉに係止するリブ組織における一方の針床のベース編目列の編目に対しては割増やし編成を、ＢＢの編針ｂ，ｄ，ｆ，ｈ，ｊに係止する編目にはニット編成を行う。第二編糸を用いて割増やし編成で形成した各増し目４に対し、新たな編目５を形成する。更にＦＢの編針Ａ，Ｃ，Ｅ，Ｇ，Ｉのリブ組織における一方の針床に係止するベース編目列の編目に対して第二編糸で割増やし編成した各編目を重ねる。１ｘ１リブ組織の第一編糸に添うように第二編糸となる弾性糸が裏側となる位置で重ね目となる。【選択図】図２
2014034742.tif 000002
【特許請求の範囲】
【請求項１】
少なくとも前後一対の針床を備え、目移しが可能な横編機を用いて、前記針床に設けられる複数の編針に第一編糸と第二編糸を給糸し、第一編糸に対して第二編糸が裏側に位置するようなリブ組織を備える編地の編成方法において、
少なくともリブ組織を構成するベース編目列を、第一編糸を用いて編成する行程（Ｔ１）と、
前記リブ組織における一方の針床に係止するベース編目列の編目に対し、第一編糸を用いて新たな編目を編成すると共に、対向する針床に増し目を形成する行程（Ｔ２）と、
前記増し目に対し、第二編糸を用いて新たな編目を編成する行程（Ｔ３）と、
前記新たな編目を前記リブ組織における一方の針床に係止するベース編目列の編目と重ねる行程（Ｔ４）と、
前記行程（Ｔ１）〜（Ｔ４）を繰り返す行程（Ｔ５）を含むことを特徴とするリブ組織を備える編地の編成方法。
【請求項２】
前記増し目は割増やし編成を行うことで形成されることを特徴とする請求項１に記載のリブ組織を備える編地の編成方法。
【請求項３】
前記第二編糸は弾性糸を用いることを特徴とする請求項１または２に記載のリブ組織を備える編地の編成方法。
【請求項４】
前記行程（Ｔ３）と行程（Ｔ４）の間に、前記新たな編目に対して第二編糸を用いた割増やし編成による増し目の形成を行い、前記リブ組織における他方の針床に係止するベース編目列の編目と該増し目を重ねるとともに、前記新たな編目に対して割増やし編成した編目を、前記リブ組織における一方の針床に係止するベース編目列の編目と重ねることを特徴とする請求項１〜３のいずれかに記載のリブ組織を備える編地の編成方法。
【発明の詳細な説明】
【技術分野】
【０００１】
本発明は、第一編糸と第二編糸が異なる編糸で、編成する編目が重なり、第一編糸の編目が表側と第二編糸の編目が裏側に配置される編地を編成する方法に関する。
【背景技術】
【０００２】
従来より第一編糸と第二編糸が異なる編糸で、これら２つの編糸を1つの編針で同時に編成する場合にはプレーティング編成を行う。プレーティング編成では、旧編目から新たな編目が引き出される側を表側、その逆側を裏側とし（以降の表側、裏側の表現も同意とする）、表側に第一編糸が、その裏側に第二編糸が重なるように配置されるため、第二編糸に弾性糸を用いて伸縮性を高める用途などに多用される。プレーティング編成では、１つの給糸口の先端で上下２箇所の位置から編針に給糸できるヤーンキャリア（特許文献1 参照）などのプレーティング専用キャリアを用いて編成する。
【先行技術文献】
【特許文献】
【０００３】
【特許文献１】実開昭５３−１３１０４９公報
【発明の概要】
【発明が解決しようとする課題】
【０００４】
本発明は、前記文献1などのプレーティング専用キャリアを用いることなく、第一編糸を表側に、第二編糸を裏側に配置して編目が重なるように編成できるリブ組織を備える編地の編成方法を提供することにある。
【課題を解決するための手段】
【０００５】
本発明は、少なくとも前後一対の針床を備え、目移しが可能な横編機を用いて、前記針床に設けられる複数の編針に第一編糸と第二編糸を給糸し、第一編糸に対して第二編糸が裏側に位置するようなリブ組織を備える編地の編成方法において、少なくともリブ組織を構成するベース編目列を、第一編糸を用いて編成する行程（Ｔ１）と、前記リブ組織における一方の針床に係止するベース編目列の編目に対し、第一編糸を用いて新たな編目を編成すると共に、対向する針床に増し目を形成する行程（Ｔ２）と、前記増し目に対し、第二編糸を用いて新たな編目を編成する行程（Ｔ３）と、前記新たな編目を前記リブ組織における一方の針床に係止するベース編目列の編目と重ねる行程（Ｔ４）と、前記行程（Ｔ１）〜（Ｔ４）を繰り返す行程（Ｔ５）を含むことを特徴とする。
【０００６】
本発明では、前記増し目は割増やし編成を行うことで形成されることを特徴とする。
【０００７】
本発明では、前記第二編糸は弾性糸を用いることを特徴とする。
【０００８】
また本発明では、前記行程（Ｔ３）と行程（Ｔ４）の間に、前記新たな編目に対して第二編糸を用いた割増やし編成による増し目の形成を行い、前記リブ組織における他方の針床に係止するベース編目列の編目と該増し目を重ねるとともに、前記新たな編目に対して割増やし編成した編目を、前記リブ組織における一方の針床に係止するベース編目列の編目と重ねることを特徴とする。
【発明の効果】
【０００９】
本発明によれば、リブ組織となるベース編目列の表側に現れる第一編糸に対し、第二編糸が重ね目により裏側に配置される。専用のヤーンキャリアを使うことなく、異なる編糸が表側と裏側に配置されて編目が重なったように編成できる。
【００１０】
本発明によれば、割増やし編成で増し目を形成することで、その増し目を異なる２目の編目を引き出す編目とすることが出来る。割増やし編成でこの増し目から引き出された新たな編目と、この増し目に対して別途新たに編成する編目は、両編目を重ねる際に同じコースで編成されたように配置することが出来る。前後針床に配置された編目を重ねると、増し目から異なる２目の編目が引き出されて編目が重なったようになり、プレーティング編地の第一編糸と第二編糸の関係により近い状態となる。
【００１１】
本発明によれば、弾性糸の編成によりリブ組織では不十分な伸縮性を補うことが可能となる。
【００１２】
また本発明によれば、リブ組織における一方と他方の針床のベース編目列のそれぞれの編目と前記増し目を重ねる。第二編糸による編目は、リブ組織のベース編目列に添い、且つ前後針床の両側の編目の裏側に編目が形成されるため、リブ組織を備える編地の前後のバランスがとれる。
【図面の簡単な説明】
【００１３】
【図１】本発明の実施例としてのリブ組織を備える編地１を含むベスト１００の概略図である。
【図２】本発明の実施例として示すリブ組織を備える編地１の編成図である。
【発明を実施するための形態】
【００１４】
以下、本発明の実施例のリブ組織を備える編地１の説明を行う。編成に使用する横編機は、前後一対の針床を備えた２枚ベッド横編機である。図示はしていないが、横編機は、後針床が前針床に対してラッキングが可能で、針床の上方に複数の給糸口を有する。説明の便宜上、編成される編地は１ｘ１リブとし、編成図では針数を実際の編成よりも少なくしている。勿論、編地は１ｘ１リブ以外の２ｘ１リブ組織やリブ組織を備えた天竺の編地で編成しても良い。なお、本実施例で示すリブ組織を備える編地１は、ベスト１００の裾リブであり、第一給糸口７には第一編糸としてウール糸を、第二給糸口８には第二編糸として弾性糸を用いて編成する。
【００１５】
図１は、裾リブとしてリブ組織を備える編地１を含むベスト１００の概略図である。図２は、実施例として示すベスト１００の裾リブに適用するリブ組織を備える編地１の編成図である。図中の左欄の「Ｓ＋数字」は工程番号を示す。また、図中の中欄のＡ〜Ｓは前針床（以下、ＦＢ）およびａ〜ｓは後針床（以下、ＢＢ）の編針を、○は旧編目を、●は各工程で編成される新たな編目を、◎は重ね目を、黒点は編針を、そして矢印は目移しを示す。さらに、図中の右欄における左右方向の矢印は編成方向を、上下方向の矢印は目移しを行うことを示し、Ｋはニット編成を示している。Ｌ０．５はＦＢに対するＢＢのラッキング位置を示し、Ｌ０．５の位置では前後の編針が対向する位置となり、Ｒ０．５の位置ではＢＢが１針右にラッキングしていることを示している。
【００１６】
リブ組織を備える編地１の編成工程を、図２の編成図で説明する。Ｓ１では、第一給糸口７を紙面右方向に移動させ、ＦＢの編針Ａ，Ｃ，Ｅ，Ｇ，ＩとＢＢの編針ｂ，ｄ，ｆ，ｈ，ｊを交互に用いて、第一編糸としてのウール糸でベース編目列２を形成する。Ｓ２では、第一給糸口７を左方向に移動させ、Ｓ１と同様にＢＢとＦＢを交互の順に、ＦＢの編針Ｉ，Ｇ，Ｅ，Ｃ，Ａに係止するリブ組織におけるベース編目列２の編目に対して割増やし編成を、ＢＢの編針ｊ，ｈ，ｆ，ｄ，ｂに係止する編目にはニット編成を行う。具体的には、割増やし編成では、ＦＢの編針Ｉ，Ｇ，Ｅ，Ｃ，Ａに係止する編目（旧編目）に新たな編目３を編成するとともに、編成前に係止していた旧編目をＦＢから対向するＢＢの編針ｉ，ｇ，ｅ，ｃ，ａに目移しする。また、ＢＢの編針ｊ，ｈ，ｆ，ｄ，ｂでのニット編成では、ＦＢの編成に合わせることでウェール方向の編目数が同じになり、ＦＢとＢＢの編目の大きさも均一で綺麗な編地となる。
【００１７】
Ｓ３では、第二給糸口８を右方向に移動させ、第二編糸としての弾性糸を用いてＳ２の割増やし編成で形成した各増し目４に、ＢＢで新たな編目５を編成する。このため、Ｓ２の割増やし編成時に形成したＦＢの新たな編目３とＳ３で編成した新たな編目５の２目が同じ編目(増し目４)から引き出されたようになる。後述する重ね目を形成する際には、この増し目４から異なる２目の編目が引き出されてそれらの編目同士が重なったようになり、プレーティング編地の第一編糸と第二編糸の関係に近い状態となる。
【００１８】
Ｓ４では、第二給糸口８を左方向に移動させ、弾性糸を用いてＢＢの編針ｉ，ｇ，ｅ，ｃ，ａに係止する編目に対して割増やし編成を行い、新たな編目６を編成する。この時、対向する位置にＦＢの空針が配置されるようにＢＢを右に１針分のラッキングを行っている。Ｓ５では、ＢＢを左に１針分のラッキングを行い、ＦＢの編針Ｂ，Ｄ，Ｆ，Ｈ，Ｊに係止するＳ４の割増やし編成で形成した増し目１４の各編目を、対向するＢＢの編針ｂ，ｄ，ｆ，ｈ，ｊに係止する編目と重ねる。この重ね目の形成により、リブ組織におけるＢＢのベース編目列２の編目と弾性糸が重ねられる。
【００１９】
Ｓ６では、リブ組織におけるＦＢの編針Ａ，Ｃ，Ｅ，Ｇ，Ｉに係止するベース編目列２の編目と弾性糸で割増やし編成した各編目６が重ねられる。Ｓ１で形成した１ｘ１リブ組織の第一編糸に添うように第二編糸となる弾性糸が裏側となる位置で重ね目となる。Ｓ５、Ｓ６で示す弾性糸による前後の重ね目は編地の外側からは目立ちにくく、弾性糸の伸縮方向もベース編目列２の編目と重なっている。そのため、ベース編目列２の編目のリブ組織の伸縮と同方向となり、編目間の渡り糸の余剰も発生しないので綺麗な編地となる。
【００２０】
Ｓ７では、Ｓ１と同様に第一給糸口７を右方向に移動させ、ＦＢの編針Ａ，Ｃ，Ｅ，Ｇ，ＩとＢＢの編針ｂ，ｄ，ｆ，ｈ，ｊを交互に用いて、新たな編目を編成する。以降は、Ｓ２〜Ｓ６を適宜繰り返し、所望の裾リブを形成する。
【００２１】
なお、実施例では、増し目４，１４は割増やしで編成したが、旧編目に対して新たなタック編成でタック目を設けるとともに、対向する針床の空針に掛け目を形成することで行っても良い。また、割増やし編成とタック編成を組み合わせて増し目を編成しても良い。これらの場合、タック編成を行う編目に対向する針床は編針を０．５本分左右どちらかににずらし、タック編成と空針ニットを同時にできる様にしておく。タック編成で繋げる場合にも編目の重なりは表側と裏側の配置となるが、旧編目から編目が引き出されていない為、割増やし編成適用時の渡り糸の見え方とは異なり、新規なデザインとしても活用できる。
【００２２】
また実施例では、新たな編目５の編成を1目としたが、更に同様の編成を加えて3目を編成しても良い。弾性糸を使用する場合、糸が細くて目立たない為、弾性力を高めたいときには有効となる。さらに第二編糸とした弾性糸に替えて、第一編糸と同様の素材の糸とすれば、適度に伸びを抑え、厚みのあるしっかりとしたリブ組織を備える編地１とすることが出来る。また色や素材を替えれば、２色のジャカード柄に見える編地とすることも出来る。
【００２３】
更に、本発明の編成ではべら針や複合針での適用が可能であるが、２枚のブレードを有するスライダーと針本体からなる複合針（例えば、特許第２９１７１４６号公報参照）を使用することが好ましい。割増やしを行う際には、べら針のように編目が捻じられたり不斉一性などの問題も無く、編針の編幅中心で編目を形成できるため左右対称の綺麗な編目を形成することが出来るからである。
【符号の説明】
【００２４】
１                      編地  
２                      ベース編目列
４，１４                増し目
３，５，６              編目    
７，８                  給糸口    
１００                  ベスト
【図１】
2014034742.tif 000003
【図２】
2014034742.tif 000004